(57)【要約】【目的】放射線を検出したとき、誰がどの値の放射線強度を検出したのか、あるいは被爆したのかを確認できる放射線検出装置を得る。【構成】放射線センサ９により放射線強度を検出するとともに、検出した放射線強度データをメモリ１０に格納する放射線検出回路部１と、予め複数の指紋データを格納するとともに、指紋センサ１３の指紋認証により、放射線を検出する人物の指紋データを格納するメモリ１４を有する指紋検出回路部２と、放射線検出回路部１および指紋検出回路部２とデータの送受信を行い、指紋検出回路部２の指紋センサで認証された指紋データと、指紋検出回路部２のメモリ１４に予め格納されている指紋データとが一致した場合に、放射線検出回路部１を動作させるコントローラ５を備えた。【選択図】図１
2010117221.tif 000002
【特許請求の範囲】
【請求項１】
放射線センサにより放射線強度を検出するとともに、検出した放射線強度データをメモリに格納する放射線検出回路部と、
予め複数の指紋データを格納するとともに、指紋センサの指紋認証により、放射線を検出する人物の指紋データを格納するメモリを有する指紋検出回路部と、
上記放射線検出回路部、および上記指紋検出回路部とデータの送受信を行い、上記指紋検出回路部の指紋センサで認証された指紋データと、上記指紋検出回路部のメモリに予め格納されている指紋データとが一致した場合に、上記放射線検出回路部を動作させるコントローラと、
を備えたことを特徴とする放射線検出装置。
【請求項２】
上記コントローラとデータの送受信を行うともに、ＧＰＳを有する無線制御回路部を備え、上記ＧＰＳにより上記指紋検出回路部の指紋センサで認証された指紋の人物の存在地域を特定し、上記ＧＰＳからの情報を基に被爆エリアを作成することを特徴とする請求項１に記載の放射線検出装置。
【請求項３】
上記無線制御回路部に所定のアクセスポイントとアクセスできる無線モジュールを備え、上記無線モジュールがアクセスしたアクセスポイントを特定することにより、上記被爆エリアのどの位置に上記指紋センサで認証された指紋の人物が存在するかを特定することを特徴とする請求項２に記載の放射線検出装置。
【請求項４】
上記コントローラに予め既定避難場所の位置情報を格納し、上記指紋センサで認証された指紋の人物の存在位置情報と上記予め格納された既定避難場所の位置情報とにより、避難ルートデータを作成し、上記既定避難場所へナビゲーションすることを特徴とする請求項３に記載の放射線検出装置。
【請求項５】
上記既定避難場所へのナビゲーションが完了した場合、その情報を上記無線モジュールにより送信し、受信側は上記被爆エリアに上記指紋センサで認証された指紋の人物がいないことを確認して上記被爆エリアを隔離することを特徴とする請求項４に記載の放射線検出装置。
【請求項６】
放射線検出時に周囲の環境の状況を撮影するカメラモジュールを備えたカメラ制御回路部と、
上記カメラ制御回路部とデータの送受信を行うコントローラと、
上記コントローラとデータの送受信を行うとともに、上記コントローラから送信される上記カメラモジュールで撮影された放射線検出時における周囲の環境の状況を外部関係機関に配信する無線制御回路部と、
を備えたことを特徴とする放射線検出装置。
【発明の詳細な説明】
【技術分野】
【０００１】
この発明は、原子力プラント等の放射線施設などにおいて、放射線を検出する放射線検出装置に関するものである。
【背景技術】
【０００２】
従来、放射線施設や管理地域などで、例えば入場者の放射線の被爆量を検知する放射線検出装置として、携帯用の検知部と、この検知部と交信を行い、この検知部に測定場所を送信するとともに、この検知部のメモリに記録された放射線の強さおよび測定場所を読み出す複数個の固定用のコントローラと、これらコントローラで読み出された放射線の強さおよび測定場所が通知され、放射線の強さが許容値を超えたとき警報を発する制御部とで構成されたものがある（例えば、特許文献１参照）。
【０００３】
【特許文献１】特開平７−６３８５７号公報（要約の欄、図１）
【発明の開示】
【発明が解決しようとする課題】
【０００４】
上記特許文献１に開示された放射線検出装置によれば、放射線施設や管理地域の入場者が帯同する放射線センサで検知した放射線の強さおよび測定した場所を、例えばこの管理センタで速やかに検知し、放射線の強さが許容値を超えたときはこの管理センタにおいても警報が発せられるので、即時に対策を講じることができる。
【０００５】
しかし、上記特許文献１に開示された放射線検出装置は、放射線を検出するとき、放射線センサからのデータを取得するのみであり、誰が検出したのか、あるいは誰が被爆したのか、という情報を得ることが出来ない課題がある。また、放射線施設や管理地域の外部への連絡も出来ない課題がある。更に、放射線検出時の周囲の環境を映像として入手することもできない課題もある。
【０００６】
また、上記特許文献１に開示された放射線検出装置は、放射線センサが放射線の強度を検出し、その強度が基準値を超えていた場合、管理センタの要所要所に設置されたコントローラが、放射線センサの検知部からデータを読み取って管理センタに送信し、管理センタが警報を発するものであるため、放射線の検出から警報を発するまでに時間遅れが生じる課題がある。
【０００７】
この発明は、上記の課題を解決するためになされたもので、放射線を検出したとき、誰がどの値の放射線強度を検出したのか、あるいは被爆したのかを確認できる放射線検出装置を得ることを目的とするものである。
【課題を解決するための手段】
【０００８】
この発明に係る放射線検出装置は、放射線センサにより放射線強度を検出するとともに、検出した放射線強度データをメモリに格納する放射線検出回路部と、予め複数の指紋データを格納するとともに、指紋センサの指紋認証により、放射線を検出する人物の指紋データを格納するメモリを有する指紋検出回路部と、上記放射線検出回路部、および上記指紋検出回路部とデータの送受信を行い、上記指紋検出回路部の指紋センサで認証された指紋データと、上記指紋検出回路部のメモリに予め格納されている指紋データとが一致した場合に、上記放射線検出回路部を動作させるコントローラと、を備えたものである。
【発明の効果】
【０００９】
この発明によれば、放射線を検出したとき、誰がどの値の放射線強度を検出したのか、あるいは被爆したのかを確認できる放射線検出装置を得ることができる。
【発明を実施するための最良の形態】
【００１０】
以下、添付の図面を参照して、この発明に係る放射線検出装置について好適な実施の形態を説明する。なお、これらの実施の形態によりこの発明が限定されるものではない。
【００１１】
実施の形態１．
図１は、この発明の実施の形態１を示すブロック構成図である。実施の形態１に係る放射線検出装置１００は、放射線検出回路部１、指紋検出回路部２、無線制御回路部３、表示制御回路部４、およびこれら各回路部１、２、３、４を制御するコントローラ５を備えている。
【００１２】
コントローラ５は、放射線検出装置全体の制御を司る中央演算処理装置（以下、各実施の形態においてＣＰＵという。）６と、ＣＰＵ６により制御されるメモリ７と、インタフェース回路８を備え、インタフェース回路８を介して各回路部１、２、３、４との間でデータの送受信を行う。
【００１３】
放射線検出回路部１は、周囲環境の放射線強度を測定するセンサである放射線センサ９と、放射線センサ９により検出した放射線強度データを格納するメモリ１０、および放射線センサ９を制御し、放射線センサ９で検出された放射線強度データをメモリ１０に格納するとともに、インタフェース回路１１を介してコントローラ５との間で放射線強度データの送受信を行うマイクロコンピュータ１２を備えている。
【００１４】
指紋検出回路部２は、放射線検出時にだれが検出したのか、あるいはだれが被爆したのかを明確にするため、放射線を検出した人物の特定を目的としたセンサである指紋センサ１３と、指紋センサ１３で検出した指紋データを格納するメモリ１４、および指紋センサ１３を制御し、指紋センサ１３からの指紋データをメモリ１４に格納するとともに、インタフェース回路１５を介してコントローラ５との間で指紋データの送受信を行うマイクロコンピュータ１６を備えている。
【００１５】
無線制御回路部３は、アクセスポイント１７を介して放射線施設や管理地域の外部にある関係機関１８とリアルタイムでデータの送受信を行う無線モジュール１９と、衛星２０と通信を行うことにより、位置情報データを受信するＧＰＳ（Ｇｌｏｂａｌ  ｐｏｓｉｔｉｏｎｉｎｇ  ｓｙｓｔｅｍ）２１と、ＧＰＳ２１と衛星２０との通信で受信した位置情報データを格納すると共に、無線モジュール１９を介して外部関係機関１８との間で送受信するデータを格納するメモリ２２、およびＧＰＳ２１、無線モジュール１９、メモリ２２の制御を行うとともに、インタフェース回路２３を介してコントローラ５とデータの送受信を行うマイクロコンピュータ２４を備えている。
【００１６】
表示制御回路部４は、ＣＰＵ６から送られてきたデータをＬＣＤ（Ｌｉｑｕｉｄ  ｃｒｙｓｔａｌ  ｄｉｓｐｌａｙ）に描画するＬＣＤモジュール２５と、コントローラ５のインタフェース回路８とデータの送受信を行うインタフェース回路２６を備えている。
【００１７】
実施の形態１に係る放射線検出装置１００は、上記のように構成されており、次にその動作について説明する。まず、放射線を検出した人物を特定する指紋認証および放射線検出時の動作について図１および図２を用いて説明する。
【００１８】
図２は、指紋認証および放射線検出時の動作フローを示す図である。図２において、ＣＰＵ６は、インタフェース回路８を介して指紋検出回路部２のインタフェース回路１５に
指紋認証開始情報を出力すると、マイクロコンピュータ１６は、インタフェース回路１５に受信した指紋認証開始情報を受けて指紋認証を開始する。そして、マイクロコンピュータ１６は、指紋センサ１３を制御して指紋データを摘出し、摘出された指紋データはメモリ１４に一度格納される。メモリ１４に格納された指紋データは、インタフェース回路１５を介してコントローラ５のインタフェース回路８に送信され、ＣＰＵ６がインタフェース回路８に受信した指紋データをメモリ７に格納する。（ステップ２００）
【００１９】
ＣＰＵ６は、予め格納されている指紋データと指紋センサ１３によって摘出された指紋データとを比較する。（ステップ２０１）
【００２０】
予め格納されている指紋データと指紋センサ１３によって摘出された指紋データが不一致の場合には、ＣＰＵ６は認証ＮＧとしてステップ２００に戻り（ステップ２０２）、指紋データが一致した場合は、ＣＰＵ６は認証者の情報および認証時間、日付をメモリ７に格納し、放射線検出機能のロックを解除する。（ステップ２０３）
【００２１】
ステップ２０２およびステップ２０３の処理は、認証が正常に行われ、放射線を検出する人物が明らかになったとき初めて放射線検出が可能となる仕組みであり、これにより放射線を検出した人物を特定することができる。
【００２２】
次に、ＣＰＵ６は、インタフェース回路８を介して、放射線検出回路部１のインタフェース回路１１に放射線検出許可情報を送信する。(ステップ２０４)
【００２３】
放射線検出回路部１のマイクロコンピュータ１２は、インタフェース回路１１に受信した放射線検出許可情報を受けて放射線センサ９を制御し、放射線検出を開始する。(ステ
ップ２０５)
【００２４】
放射線センサ９は放射線強度を検出し（ステップ２０６）、放射線センサ９から出力された放射線強度データをマイクロコンピュータ１２は一度メモリ１０に格納し、格納した放射線強度データは、インタフェース回路１１を介してコントローラ５のインタフェース回路８に送信する。（ステップ２０７）
【００２５】
ＣＰＵ６は、インタフェース回路８で受信した放射線強度データをメモリ７に格納し、予めメモリ７に格納されている基準値データと放射線センサ９で測定された放射線強度データを比較する。（ステップ２０８）
【００２６】
コントローラ５のメモリ７に格納されたデータは、放射線強度、測定者、測定日時であり、その測定データが基準値以下であればステップ２０６に戻り、その測定データが基準値を超える場合には、ＣＰＵ６は異常と判断し、その測定データを、インタフェース回路８を介して無線制御回路部３のインタフェース回路２３に送信する。（ステップ２０９）
【００２７】
無線制御回路部３のマイクロコンピュータ２４は、インタフェース回路２３が受信した測定データをメモリ２２に一度格納し（ステップ２１０）、格納した測定データを無線モジュール１９の制御により、アクセスポイント２７を経由し、外部関係機関２８に通知する。（ステップ２１１）
【００２８】
以上のように、実施の形態１に係る放射線検出装置は、外部関係機関１８が、受信した測定データを基にしてリアルタイムで誰がどの値の放射線強度を検出したのか、あるいは被爆したのかを確認することが可能となる。
【００２９】
実施の形態２．
次に、この発明の実施の形態２に係る放射線検出装置について説明する。実施の形態２は、放射線検出エリアあるいは被爆エリアを作成する放射線検出装置について説明するものである。放射線検出装置の構成は実施の形態１と同様であるので、図１を参照しながらその動作を図３に基づいて説明する。
【００３０】
図３は、放射線検出エリアあるいは被爆エリアを作成するときの動作フローを説明する図である。図３において、指紋検出回路部２における指紋センサ１３の指紋認証により認証者が特定されると、ＣＰＵ６は、インタフェース回路８を介して無線制御回路部３のインタフェース回路２３にＧＰＳ機能ＯＮ情報を送信する。（ステップ３００）
【００３１】
無線制御回路部３のマイクロコンピュータ２４は、インタフェース回路２３に受信したＧＰＳ機能ＯＮ情報を基にＧＰＳ制御を開始し（ステップ３０１）、衛星２０と通信を開始する。（ステップ３０２）
【００３２】
ＧＰＳ２１は、衛星２０から受信した位置情報データをマイクロコンピュータ２４に渡し、マイクロコンピュータ２４は位置情報データを一度メモリ２２に格納し（ステップ３０３）、格納した位置情報データを、インタフェース回路２３を介してコントローラ５のインタフェース回路８に送信する。（ステップ３０３）
【００３３】
ＣＰＵ６はインタフェース回路８に受信した位置情報データをメモリ７に格納する（ステップ３０５）とともに、メモリ７に格納した位置情報データを基に放射線検出エリア情報あるいは被爆エリア情報を作成し、メモリ７に格納する。（ステップ３０６）
【００３４】
ＣＰＵ６は、インタフェース回路８を介して作成した放射線検出エリアデータあるいは被爆エリアデータを無線制御回路部３のインタフェース回路２３に送信する。（ステップ３０７）
【００３５】
無線制御回路部３のインタフェース回路２３に受信した放射線検出エリアデータあるいは被爆エリアデータを、マイクロコンピュータ２４はメモリ２２に一度格納し、格納した放射線検出エリアデータあるいは被爆エリアデータを、無線モジュール１９を使用してアクセスポイント１７を経由し、外部関係機関１８に送信する。（ステップ３０９）
【００３６】
また、ステップ３０６においてメモリ７に格納した位置情報データを、ＬＣＤに描画するか否か判断し（ステップ３１０）、ＬＣＤに描画するのであれば、ＣＰＵ３は、作成した放射線検出エリアデータあるいは被爆エリアデータを、インタフェース回路８を介して表示制御回路部４のインタフェース回路２６にも送信する。（ステップ３１１）
【００３７】
表示制御回路部４のインタフェース回路２６は、受信した放射線検出エリアデータあるいは被爆エリアデータをＬＣＤモジュール２５に送り、ＬＣＤモジュール２５は受信した放射線検出エリア情報あるいは被爆エリア情報をＬＣＤに描画する。（ステップ３１２）
【００３８】
以上のように、実施の形態２に係る放射線検出装置によれば、外部関係機関１８は、作成された放射線検出エリア情報あるいは被爆エリア情報をリアルタイムで受信することにより、放射線検出エリアあるいは被爆エリアの状況確認が可能となる。
【００３９】
実施の形態３．
次に、この発明の実施の形態３に係る放射線検出装置について説明する。実施の形態３は、放射線を検出した位置情報データあるいは被爆した位置情報データを作成する放射線検出装置を説明するものである。放射線検出装置の構成は実施の形態１と同様であるので、図１を参照しながらその動作を図４に基づいて説明する。
【００４０】
図４は、放射線を検出した位置情報データあるいは被爆した位置情報データを作成するときの動作フローを示す図である。図３において、無線制御回路部３のマイクロコンピュータ２４は、無線モジュール１９およびアクセスポイント１７を経由して外部関係機関１８とデータの送受信を行っている。無線モジュール１９は、アクセスポイント１７にアクセスすることにより、アクセスポイント１７から位置情報データを受信し（ステップ４００）、マイクロコンピュータ２４は、受信した位置情報データを一度メモリ２２に格納する。（ステップ４０１）
【００４１】
そして、マイクロコンピュータ２４は、メモリ２２に格納した位置情報データをインタフェース回路２３を介して、コントローラ５のインタフェース回路８に送信する。（ステップ４０２）
【００４２】
ＣＰＵ６は、インタフェース回路８に受信した位置情報データをメモリ７に格納し（ステップ４０３）、実施の形態２で作成済みの検出エリアデータあるいは被爆エリアデータとアクセスポイント１７から受信した位置情報データとを組み合わせることによって、放射線を検出した位置、あるいは被爆した位置が検出エリアあるいは被爆エリアのどの位置に存在するのかを特定し、詳細な位置情報データを作成する。（ステップ４０４）
【００４３】
ＣＰＵ６は、作成した放射線の検出位置情報データあるいは被爆位置情報データを、インタフェース回路８を介して無線制御回路部３のインタフェース回路２３に送信する。（ステップ４０５）
【００４４】
無線制御回路部３のインタフェース回路２３で受信した放射線の検出位置情報データあるいは被爆位置情報データを、マイクロコンピュータ２４は一度メモリ２２に格納する。そして、格納した放射線の検出位置情報データあるいは被爆位置情報データをマイクロコンピュータ２４が無線モジュール１９を制御することにより、アクセスポイント１７を経由して外部関係機関１８に送信する。（ステップ４０６）
【００４５】
また、無線制御回路部３のメモリ２２に格納された放射線の検出位置情報データあるいは被爆位置情報データをＬＣＤに描画するか否か判断し（ステップ４０７）、ＬＣＤに描画するのであれば、ＣＰＵ６は、作成した放射線の検出位置情報データあるいは被爆位置情報データをインタフェース回路８を介して表示制御回路部４のインタフェース回路２６にも送信する。（ステップ４０８）
【００４６】
表示制御回路部４のインタフェース回路２６は、受信した放射線の検出位置情報データあるいは被爆位置情報データをＬＣＤモジュール２５に送り、ＬＣＤモジュール２５はＬＣＤに放射線の検出位置情報あるいは被爆位置情報を描画する。（ステップ４０９）
【００４７】
以上のように、実施の形態３に係る放射線検出装置によれば、外部関係機関１８は、受信した放射線の検出位置情報データあるいは被爆位置情報データから放射線を検出した場所あるいは被爆した場所のより詳細な位置を把握することが可能となる。
【００４８】
実施の形態４．
次に、この発明の実施の形態４に係る放射線検出装置について説明する。実施の形態４は、放射線を検出した人物あるいは被爆した人物を既定避難場所へナビゲーションする放射線検出装置のオートナビゲーション機能を説明するものである。放射線検出装置の構成は実施の形態１と同様であるので、図１を参照しながらその機能を図５に基づいて説明する。
【００４９】
図５は、放射線を検出した人物あるいは被爆した人物を既定避難場所へナビゲーションする放射線検出装置のオートナビゲーション機能の動作フローを示す図である。図５において、実施の形態１で説明した指紋認証により人物を特定し（ステップ５０１）、実施の形態３で作成された情報により、放射線の検出位置あるいは被爆位置の特定を行う。（ステップ５０２）
【００５０】
ステップ５０１における人物の特定およびステップ５０２における放射線の検出位置、あるいは被爆位置の特定が終了したのち、ＣＰＵ６は、ＣＰＵ６の保有するナビゲーション機能をＯＮにする。（ステップ５０３）
【００５１】
ＣＰＵ６は、実施の形態３で作成された放射線の検出位置あるいは被爆位置の情報を基に、予めメモリ７に格納されている既定避難場所の位置情報を組み合わせて、現在位置から既定避難場所への避難ルートデータを作成する。（ステップ５０４）
【００５２】
ステップ５０４で作成された避難ルートデータを基に、ＣＰＵ６は既定避難場所へのナビゲーションを開始することが可能になる。
【００５３】
また、ＣＰＵ６で作成された避難ルートデータをＬＣＤに描画するのであれば（ステップ５０５）、ＣＰＵ６は作成した避難ルートデータをインタフェース回路８を介して、表示制御回路部４のインタフェース回路２６に送信する。（ステップ５０６）
【００５４】
表示制御回路部４のインタフェース回路２６は、受信した避難ルートデータをＬＣＤモジュール２５に渡すことにより、ＬＣＤモジュール２５はＬＣＤにナビゲーション情報を描画し（ステップ５０７）、既定避難場所へのナビゲーションを開始する。（ステップ５０８）
【００５５】
放射線を検出した人物あるいは被爆した人物が既定避難場所に到着したとき（ステップ５０９）、ＣＰＵ６はナビゲーション機能を終了させ（ステップ５１０）、既定避難場所への到着情報をインタフェース回路８を介して無線制御回路部３のインタフェース回路２３に送信する。（ステップ５１１）
【００５６】
無線制御回路部３のマイクロコンピュータ２４は、インタフェース回路２３に受信した既定避難場所への到着情報を一度メモリ２２に格納し、無線モジュール１９を制御して格納されたデータを、アクセスポイント１７を経由して外部関係機関１８に送信する。（ステップ５１２）
【００５７】
以上のように、実施の形態４に係る放射線検出装置によれば、部関係機関１８は、受信したデータにより放射線を検出した人物あるいは被爆した人物が既定避難場所に到着したことを把握することができる。
【００５８】
実施の形態５．
次に、この発明の実施の形態５に係る放射線検出装置について説明する。実施の形態５は、放射線検出エリアあるいは被爆エリアを隔離する放射線検出装置を説明するものである。放射線検出装置の構成は実施の形態１と同様であるので、図１を参照しながらその動作を図６に基づいて説明する。
【００５９】
図６は、外部関係機関による放射線検出エリアあるいは被爆エリアの自動隔離機能のフローを示す図である。
図６において、外部関係機関１８は、アクセスポイント１７を経由して実施の形態２で受信した放射線検出エリア情報あるいは被爆エリア情報を基に、放射線検出エリアあるい
は被爆エリア内に機器の反応が無いことを確認し、かつ放射線流出時に放射線検出エリアあるいは被爆エリアに存在した特定の人物が全て、実施の形態４により既定避難場所に到着したことを確認できた場合（ステップ６００）、放射線検出エリアあるいは被爆エリアを自動で隔離することを可能とする。（ステップ６０１）
【００６０】
しかし、（１）放射線検出エリアあるいは被爆エリアに機器の反応があり、既定避難場所到着情報を未受信の場合、（２）放射線検出エリアあるいは被爆エリアに反応があるが、既定避難場所到着情報を受信した場合、（３）放射線検出エリアあるいは被爆エリアに機器の反応はないが、既定避難場所情報を受信してない場合においては、放射線検出エリアあるいは被爆エリアにおいて機器の反応が無いことが確認でき、かつ放射線検出エリアあるいは被爆エリアに存在した特定の人物が全て既定避難場所に到着した情報を受信するまで待機する。（ステップ６０２）
【００６１】
以上のように、実施の形態５に係る放射線検出装置によれば、放射線検出エリアあるいは被爆エリアを自動で隔離することが出来る。
【００６２】
実施の形態６．
次に、この発明の実施の形態６に係る放射線検出装置について説明する。図７は、実施の形態６を示すブロック構成図である。実施の形態６に係る放射線検出装置２００は、カメラ制御回路部７０、無線制御回路部７１、表示制御回路部７２、およびこれら各回路部７０、７１、７２を制御するコントローラ７３を備えている。
【００６３】
コントローラ７３は、放射線検出装置全体の制御を司るＣＰＵ７４と、ＣＰＵ７４により制御されるメモリ７５と、インタフェース回路７６を備え、インタフェース回路７６を介して各回路部７０、７１、７２との間でデータの送受信を行う。
【００６４】
カメラ制御回路部７０は、放射線検出時に周囲の環境の状況を撮影するカメラモジュール７７と、カメラモジュール７７の制御を行うとともに、カメラモジュール７７で撮影したデータをメモリ７８に格納し、インタフェース回路７９を介してコントローラ７３とデータの送受信を行うマイクロコンピュータ８０を備えている。
【００６５】
無線制御回路部７１は、アクセスポイント１７を介して放射線施設や管理地域の外部にある関係機関１８とリアルタイムでデータの送受信を行う無線モジュール８１と、衛星２０と通信を行うことにより、位置情報データを受信するＧＰＳ８２と、ＧＰＳ８２と衛星２０との通信で受信した位置情報データを格納すると共に、無線モジュール８１を介して外部関係機関１８との間で送受信するデータを格納するメモリ８３、およびＧＰＳ８２、無線モジュール８１、メモリ８３の制御を行うとともに、インタフェース回路８４を介してコントローラ７３とデータの送受信を行うマイクロコンピュータ８５を備えている。
【００６６】
表示制御回路部７２は、ＣＰＵ７４から送られてきたデータをＬＣＤに描画するＬＣＤモジュール８６と、コントローラ７３のインタフェース回路７６とデータの送受信を行うインタフェース回路８７を備えている。
【００６７】
実施の形態６に係る放射線検出装置２００は、上記のように構成されており、次にその動作について図８を用いて説明する。
【００６８】
図８は、放射線検出時のカメラ撮影機能のフローを示す図である。図８において、放射線検出時にカメラモジュール７７にて撮影を可能とするため、ＣＰＵ７４は放射線検出許可情報をマイクロコンピュータ８０に送信したのち、インタフェース回路７６を介してカメラ制御回路部７０のインタフェース回路７９にカメラ機能ＯＮ情報を送信する。（ステ
ップ８００）
【００６９】
マイクロコンピュータ８０は、インタフェース回路７９で受信したカメラ機能ＯＮ情報を受けて（ステップ８０１）、カメラモジュール７７の制御を行う。（ステップ８０２）
【００７０】
マイクロコンピュータ８０はカメラモジュール７７で撮影されたカメラデータを一度メモリ７８に格納するとともに（ステップ８０３）、格納されたカメラデータを、インタフェース回路７９を介してコントローラ７３のインタフェース回路７６に送信する。（ステップ８０４）
【００７１】
ＣＰＵ７４は、インタフェース回路７６でカメラデータを受信し、受信したカメラデータをメモリ７５に格納し（ステップ８０５）、格納されたカメラデータを、インタフェース回路７６を介して無線制御回路部７１のインタフェース回路８４に送信する。（ステップ８０６）
【００７２】
無線制御回路部７１のマイクロコンピュータ８５は、インタフェース回路８４で受信したカメラデータを一度メモリ８３に格納するとともに、格納したカメラデータを、無線モジュール８１を制御することにより、アクセスポイント１７を経由して外部関係機関１８に送信する。（ステップ８０７）
【００７３】
カメラ機能を停止する場合（ステップ８０８）、ＣＰＵ７４はカメラ制御回路部７０のマイクロコンピュータ８０にカメラ機能ＯＦＦ情報を送信し（ステップ８０９）、マイクロコンピュータ８０はカメラ機能を停止する。
【００７４】
以上のように、実施の形態６に係る放射線検出装置によれば、外部関係機関１８は、放射線検出時に撮影された周囲環境の状況をリアルタイムで受信することが可能となり、放射線検出時における現場の状況が把握できる。
【産業上の利用可能性】
【００７５】
この発明は、原子力プラント等の放射線施設などにおいて、放射線を検出する放射線検出装置として利用できる。
【図面の簡単な説明】
【００７６】
【図１】この発明の実施の形態１を示すブロック構成図である。
【図２】この発明の実施の形態１に係る指紋認証および放射線検出時の動作フローを示す図である。
【図３】この発明の実施の形態２に係る放射線検出エリアあるいは被爆エリアを作成するときの動作フローを説明する図である。
【図４】この発明の実施の形態３に係る放射線を検出した位置情報データあるいは被爆した位置情報データを作成するときの動作フローを示す図である。
【図５】この発明の実施の形態４に係る放射線を検出した人物あるいは被爆した人物を既定避難場所へナビゲーションする放射線検出装置のオートナビゲーション機能の動作フローを示す図である。
【図６】この発明の実施の形態５に係る外部関係機関による放射線検出エリアあるいは被爆エリアの自動隔離機能のフローを示す図である。
【図７】この発明の実施の形態６を示すブロック構成図である。
【図８】この発明の実施の形態６に係る放射線検出時のカメラ撮影機能のフローを示す図である。
【符号の説明】
【００７７】
１  放射線検出回路部
２  指紋検出回路部
３、７１  無線制御回路部
４、７２  表示制御回路部
５、７３  コントローラ
６、７４  ＣＰＵ
７、１０、１４、２２、７５、７８、８３  メモリ
８、１１、１５、２３、２６、７６、７９、８４、８７  インタフェース回路
９  放射線センサ
１２、１６、２４、８０、８５  マイクロコンピュータ
１３  指紋センサ
１７  アクセスポイント
１８  関係機関
１９、８１  無線モジュール
２０  衛星
２１、８２  ＧＰＳ
２５、８６  ＬＣＤモジュール
７０  カメラ制御回路部
７７  カメラモジュール
１００、２００  放射線検出装置
【図１】
2010117221.tif 000003
【図２】
2010117221.tif 000004
【図３】
2010117221.tif 000005
【図４】
2010117221.tif 000006
【図５】
2010117221.tif 000007
【図６】
2010117221.tif 000008
【図７】
2010117221.tif 000009
【図８】
2010117221.tif 000010